(57)【特許請求の範囲】
【請求項１】
上部に内筒（３５）が立設されると共に下部が開放端で形成された筒状の容器本体（３０）と、内容物を注出する注出孔（２５）及びその周囲に前記内容物を被塗布部に塗布するための塗布面（２３ａ）を備えると共に前記塗布面（２３ａ）の下面に前記注出孔（２５）から前記内筒（３５）の内外いずれか一方に垂下設される注出筒（２４）を備えた固定栓（２０）と、前記容器本体（３０）内に配置されて内容物を収容する充填部（Ｂ）を形成する可動栓（４０）と、を有する塗布容器であって、
前記可動栓（４０）の側面（４２）を前記容器本体（３０）の側壁（３０Ａ）に密着させながら前記容器本体（３０）内を高さ方向に移動可能に設けると共に、前記可動栓（４０）の底壁（４１）に撓み変形可能な変形部（５０）を設けたことを特徴とする塗布容器。
【請求項２】
容器本体（３０）の側壁（３０Ａ）の開放端に切欠部（３７）を形成した請求項１記載の塗布容器。
【請求項３】
注出筒（２４）内に規制部材（２）を配置した請求項１又は２記載の塗布容器。
【請求項４】
規制部材（２）を塗布面（２３ａ）の下面に一体に形成した請求項３記載の塗布容器。
【請求項５】
可動栓（４０）と変形部（５０）とを一体に形成した請求項１乃至４のいずれか一項に記載の塗布容器。
【請求項６】
容器本体（３０）は、上部に設けられた口筒部（３１）の下端から前記容器本体（３０）の側壁（３０Ａ）の内面に沿って下方に延びると共に前記側壁（３０Ａ）との間に隙間（３２）を形成する延出部（３３）と、該延出部（３３）の下端から容器本体（３０）の中心方向に向かって水平に延びる本体水平部（３４）とを有し、内筒（３５）は前記本体水平部（３４）の中心側端部から上方に向かって立設しており、
可動栓（４０）の側面（４２）は上部方向に向けて延設されると共に、前記上部方向に移動した前記側面（４２）の上端部が、前記隙間（３２）内に挿入可能に構成されている請求項１乃至５のいずれか一項に記載の塗布容器。
【発明の詳細な説明】
【技術分野】
【０００１】
本発明は、液状の内容物を塗布するための塗布容器に関する。
【背景技術】
【０００２】
従来から、内容物に触れることなく、内容物のみを肌等の被塗布部に直接的に塗布することができる塗布容器として、例えば下記の特許文献１に示されるような塗布容器が知られている。
特許文献１に示される塗布容器は、内容物が収容される容器体と、容器体の口部に不動に組み付けられ、内周面の略中央部に支持シール条を突周設すると共に、上端部が縮径することで保持部とされた保持筒体と、球体の中央部よりやや下部が支持シール条に支持されると共に、中央部よりやや上部が保持部に抜け出し不能に保持されて、保持筒体内に離脱不能にかつ回転可能に収容された塗布ボールと、容器体の口部に着脱可能に組み付けられ、口部に組み付けられたときに塗布ボールの上面を押圧し、該塗布ボールの下面を支持シール条に圧着させるキャップを備えて構成されている。
【先行技術文献】
【特許文献】
【０００３】
【特許文献１】特開２００１−９７４３４号公報
【発明の概要】
【発明が解決しようとする課題】
【０００４】
しかしながら、上記特許文献１に示されるような塗布ボールを用いた塗布容器は、塗布ボールの外面に汚れや粉塵が付着したり、あるいは塗布ボールと保持筒体との間に異物や粉塵が詰ったりしやすい。このため、塗布ボールが回転しにくくなり、結果として内容物を良好に塗布することが困難になる虞れがある。
【０００５】
本発明は、上記した従来技術における問題点を解消すべく、異物や粉塵の影響を受けることなく、常に内容物を良好に塗布できる塗布容器を提供することを課題とする。
【課題を解決するための手段】
【０００６】
上記課題を解決するための手段のうち、本発明の主たる手段は、
上部に内筒が立設されると共に下部が開放端で形成された筒状の容器本体と、内容物を注出する注出孔及びその周囲に内容物を被塗布部に塗布するための塗布面を備えると共にこの塗布面の下面に注出孔から内筒内の内外いずれか一方に垂下設される注出筒を備えた固定栓と、塗布面を覆うキャップと、容器本体内に配置されて内容物を収容する充填部を形成する可動栓と、を有する塗布容器であって、可動栓の側面を容器本体の側壁に密着させながら容器本体内を高さ方向に移動可能に設けると共に、可動栓の底壁に撓み変形可能な変形部を設けたことを特徴とする、と云うものである。
【０００７】
本発明の主たる手段では、容器本体内に移動可能に設けられた可動栓を押圧して塗布面側に押し上げることにより、容器本体内に充填されている内容物を、注出孔を通じて塗布面に注出させることを達成し得る。
【０００８】
また本発明の他の構成は、上記主たる手段に、容器本体の側壁の開放端に切欠部を形成した、との構成を加えたものである。
【０００９】
上記構成では、開放端から指を挿入して可動栓を上方に押し上げる方法に加え、切欠部を介して容器軸Ｏに対して垂直となる方向から指を挿入した状態で可動栓を上方に押し上げることによっても内容物を注出することが可能となり、多様な操作性を有する塗布容器とすることができる。
【００１０】
また本発明の他の構成は、上記いずれかの手段に、注出筒内に規制部材を配置した、との構成を加えたものである。
【００１１】
上記構成では、注出路の流量を制限することが可能となり、容器本体内の充填部に収容されている内容物が、低粘度の液体である場合であっても、可動栓を押し上げたときに内容物が余計に飛び出してしまうことを防止することが可能となる。すなわち、内容物が、粘度が高い液体と粘度の低い液体のいずれであっても良好に塗布することが可能となる。
【００１２】
また本発明の他の構成は、上記手段に、規制部材を塗布面の下面に一体に形成した、との構成を加えたものである。
【００１３】
上記構成では、部品点数を削減し、組立て容易な塗布容器とすることができる。
【００１４】
また本発明の他の構成は、上記いずれかの手段に、可動栓と変形部とを一体に形成した、との構成を加えたものである。
【００１５】
上記構成においても、部品点数を削減し、組立て容易な塗布容器とすることができる。
【発明の効果】
【００１６】
本発明は、上記した構成となっているので、以下に示す効果を奏する。
本発明では、容器本体内に移動可能に設けられた変形部を有する可動栓を指で押圧して塗布面側に押し上げることで容器本体に充填されている内容物を注出孔から塗布面に注出されるが、可動栓を上方に押し上げていた指を離すと、変形部が元のドーム状に復元し、このとき塗布面上の注出孔近傍に残存している内容物が注出筒内に引き込まれるため、注出孔からの内容物の液垂れを確実に防止することができる。
また内容物が注出している塗布面を肌等の被塗布部に押し当てることにより、内容物に触れることなく、内容物のみを被塗布部に直接的に塗布することができる。しかも塗布ボールが回転しにくくなるというような不具合も発生しないので、常に内容物を良好に塗布することが可能となる。
【図面の簡単な説明】
【００１７】
【図１】本発明の第１実施例としての塗布容器の半断面図である。
【図２】キャップを外した状態を示す塗布容器の半断面図である。
【図３】本発明の第２実施例としての塗布容器を示す半断面図である。
【図４】本発明の第３実施例としての塗布容器の要部を拡大して示す半断面図である。
【図５】本発明の第４実施例としての塗布容器の要部を拡大して示す半断面図である。
【図６】本発明の第５実施例としての塗布容器を示す半断面図である。
【発明を実施するための形態】
【００１８】
以下、本発明の実施の形態について図面を参照しつつ説明する。
図１は、本発明の第１実施例としての塗布容器を示す半断面図、図２はキャップを外した状態を示す塗布容器の半断面図である。
最初に塗布容器の構成について説明する。
この塗布容器１は、例えばローションタイプの日焼け止め（化粧品）やかゆみ止め（薬剤）などの液状の内容物を、直接的に肌等の被塗布部に塗布するための容器であり、内容物の粘度は低粘度であるか、高粘度であるかを問わずに使用可能な容器である。
【００１９】
図１に示すように、塗布容器１はキャップ１０、固定栓２０、容器本体３０、可動栓４０、変形部５０及び底蓋６０の各部材を有して構成され、これらの部材はすべて合成樹脂材料により形成されている。
【００２０】
容器本体３０は円筒状の部材であり、上部側に設けられた口筒部３１の外周面にはキャップ１０を螺着するための螺条３１ａが刻設されている。容器本体３０の上部には、口筒部３１の下端から下方に延びると共に容器本体３０の側壁３０Ａとの間に隙間３２を形成する延出部３３と、この延出部３３の下端から容器本体３０の中心方向（容器軸Ｏ方向）に向かって水平に延びる本体水平部３４と、この本体水平部３４の中心側端部から上方に向かって立設する内筒３５とが一体に形成されている。また容器本体３０の側壁３０Ａの下部は開放端３０Ｂで形成されており、その内側には脱落防止用の係止部３６が形成されている。
【００２１】
固定栓２０は、容器本体３０の口筒部３１の先端に載置されるフランジ２１と、このフランジ２１から下方に延びて口筒部３１の内壁に組み付く組付き係止部２２と、フランジ２１から上方に突出形成して容器本体３０の内筒３５を被覆する上蓋部２３と、上蓋部２３の下面中央に垂下設されて容器本体３０側の内筒３５内に挿入して係合される注出筒２４とを有して一体に形成されている。なお、注出筒２４は、内筒３５を外側から覆うように垂下設される構成であってもよい。注出筒２４及び内筒３５は、これらの内側が内容物を案内する案内経路として機能する注出路Ａとなっている。上蓋部２３の上面中央の位置には注出路Ａに連通する注出孔２５が穿設され、注出孔２５の周囲には、例えば同心円状に配置される複数の溝、あるいはドット状や網目状に配置される複数の陥没部からなる凹部２６が形成され、凹凸形状が設けられている。注出孔２５及び凹部２６を有する上蓋部２３の上面は、被塗布部に直接当たる塗布面２３ａとして機能する。また複数の溝又は複数の陥没部から成る凹部２６は、注出孔２５から注出された内容物を一時的に保持する機能を有する。
【００２２】
キャップ１０は頂壁１１と側壁１２とを有して成る有頂筒状の部材であり、頂壁１１の下面中央には固定栓２０側の注出孔２５に挿入可能な封止栓１３が突設され、側壁１２の下方内周面には螺条１２ａが刻設されている。キャップ１０を容器本体３０側の口筒部３１に装着し、螺条１２ａと螺条３１ａとを螺合させることにより、口筒部３１の上端に突設された上蓋部２３を被嵌することが可能となっている。キャップ１０を被嵌することにより、上蓋部２３の塗布面２３ａを覆うことができると共に、注出孔２５内に挿入した封止栓１３によって注出孔２５を封止することが可能となっている。
【００２３】
可動栓４０は、底壁４１と側面４２とを有する有底筒状の部材であり、底壁４１の中央には貫通穴４３が形成され、側面４２の外面の少なくとも上端部及び下端部は容器本体３０の側壁３０Ａの内面に密着している。可動栓４０は、この密着する状態を維持しながら側壁３０Ａの内面に沿って容器本体３０内を上方に向かって移動することが可能となっている。
【００２４】
変形部５０は可動栓４０の底壁４１の下部位置に組み付けられている。変形部５０の中央部５１は肉薄に形成されると共に、容器本体３０の外方（図示下方）に向かって突出するドーム状（凸状ともいう。）に形成され、可動栓４０の貫通穴４３を塞ぐように対向して配置されている。この中央部５１は、指で押圧することにより容器本体３０の内方（図示上方）に向かって撓み変形させることが可能となっている。
【００２５】
そして、変形部５０を有する可動栓４０を容器本体３０の下方の位置に配置することにより、容器本体３０側の本体水平部３４と可動栓４０側の底壁４１との間に充填部Ｂが形成され、その上部に充填部Ｂに連通する注出路Ａが位置する。この塗布容器１では、容器本体３０の上部側に固定栓２０を組み付けると共にキャップ１０を螺着し、且つ容器本体３０の下部側に変形部５０を有する可動栓４０を組み付けることにより、内容物が充填された注出路Ａ及び充填部Ｂを密封状態とすることが可能となっている。
【００２６】
底蓋６０は、大きく開放された開口部６１を有して容器本体３０の下端である開放端３０Ｂに組み付けられている。変形部５０を有する可動栓４０の外周側の下端が底蓋６０に当接可能となっており、可動栓４０の下方向への移動を制限する抜け止めとして機能している。また底蓋６０は、開口部６１から指を挿入することが可能となっており、挿入した指で変形部５０を撓み変形させ、さらには変形部５０を有する可動栓４０を上方に押し上げることが可能となっている。
【００２７】
なお、内容物の充填部Ｂへの充填は、容器本体３０の下部側に変形部５０を有する可動栓４０を組み付けた状態で容器本体３０の上部側から内容物を充填し、充填後に容器本体３０の上部側に固定栓２０を組み付けると共にキャップ１０を螺着して密封してもよいし、あるいは容器本体３０の上部側に固定栓２０を組み付けると共にキャップ１０を螺着した状態で、内容物を容器本体３０の下部側から充填し、充填後に容器本体３０の下部側に変形部５０を有する可動栓４０を組み付けて密封してもよい。
【００２８】
次に塗布容器の使用方法について説明する。
図２に示すように、キャップ１０を螺脱して取り外した後、開口部６１から指を挿入して変形部５０を介して可動栓４０を上方に押し上げる。このとき、変形部５０は、ドーム状の中央部５１が略水平な形状に撓み変形させられる。この操作により、可動栓４０が上蓋部２３に近づく上方に移動して充填部Ｂの容積が縮小するため、内容物を注出路Ａ及び注出孔２５を通じて上蓋部２３の塗布面２３ａに注出させることができる。そして、塗布面２３ａを肌などの被塗布部に押し当てることにより、さらには押し当てた塗布面２３ａを被塗布部に沿って摺動させることにより、内容物を塗布することができる。
【００２９】
このように本発明の塗布容器１では、内容物が注出される塗布面２３ａによって塗布する構成であり、従来のような塗布ボールを用いなくとも、内容物に触れることなしに内容物を被塗布部に直接的に塗布することができる。しかも塗布ボールと保持筒体との間に異物や粉塵が詰って塗布ボールが回転しにくくなるというような不具合も発生しないので、常に内容物を良好に塗布することが可能となる。
【００３０】
また可動栓４０を上方に押し上げていた指を離すと、変形部５０の中央部５１が元のドーム状に復元するが、このとき、塗布面２３ａ上の注出孔２５の近傍に残存している内容物を、注出筒２４内に引き込むことができる（サックバック）。これにより、注出孔２５からの内容物の液垂れを確実に防止することが可能である。
【００３１】
なお、図１に破線で示すように、可動栓４０は、側面４２の上端部が容器本体３０の側壁３０Ａと延出部３３との間に形成される隙間３２内に挿入されると共に、底壁４１が容器本体３０の本体水平部３４の下面に接触する上部位置まで押し上げることが可能となっている。
【００３２】
図３は本発明の第２実施例としての塗布容器を示す半断面図である。
第２実施例に示す塗布容器１が、上記第１実施例の塗布容器１とは、容器本体３０の開放端３０Ｂで、且つ容器軸Ｏに対して対称となる位置にＵ字形状からなる一対の切欠部３７を形成した点が異なる。また可動栓４０と変形部５０の構成も異なっている。すなわち、可動栓４０は底壁４１の中央に底筒部４４が形成され、この底筒部４４の底部に貫通穴４３が形成されている。また変形部５０は、内壁５２と外壁５３とを有する有底二重筒状の部材で形成され、撓み変形可能な中央部５１は内壁５２の底面に形成されている。そして、変形部５０の外壁５３の上端に形成された突起が、可動栓４０の側面４２に形成された突起に係合することにより、変形部５０が可動栓４０の底部に組み付けられている。また、第２実施例では、底蓋６０を不要としている点も第１実施例と異なる点である。
【００３３】
第１実施例に示す塗布容器１では、開放端３０Ｂに設けられている底蓋６０の開口部６１に、指を容器軸Ｏに沿って直線的に挿入して可動栓４０を上方に押し上げる必要がある。これに対し、第２実施例では、上記の方法に加え、切欠部３７を介して容器軸Ｏに対して垂直となる水平方向から指Ｆを挿入すると共に、挿入した指Ｆの先端部を上方に曲げて可動栓４０を押し上げることにより内容物を注出することが可能であり、多様な操作性を有する塗布容器１とすることが可能となっている。
【００３４】
図４は本発明の第３実施例としての塗布容器の要部を拡大して示す半断面図、図５は本発明の第４実施例としての塗布容器の要部を拡大して示す半断面図である。
図４及び図５に示す塗布容器１が、上記第１及び第２実施例と異なる点は、注出路Ａ内、すなわち固定栓２０の上蓋部２３下面中央に垂下設された注出筒２４の内部に棒状又は略円柱状から成る規制部材２を配置した点にある。図４に示す第３実施例は規制部材２を固定栓２０とは別部材とした構成例であり、図５に示す第４実施例は規制部材２を固定栓２０と一体に形成した構成例である。
規制部材２の外径は注出筒２４の内径よりも細い寸法で形成されており、両者が対向する部分に隙間３が形成されている。第３実施例及び第４実施例では、この隙間３が、充填部Ｂ内の内容物を注出孔２５に案内する案内経路として機能するが、規制部材２は注出路Ａの容積を縮小させることにより、注出路Ａ内を流れる内容物の流量を規制するように機能する。
【００３５】
規制部材２は注出路Ａの流量を規制することができるものであればどのような構成であってもよく、例えば上記のように注出筒２４の内壁と規制部材２の外面との間に隙間３が円筒状に形成されるようにしてもよいし、注出筒２４の内壁又は規制部材２の外面に複数の縦溝を形成することにより、溝状の隙間３が周方向に複数配置されるようにしてもよい。
なお、図５に示す第４実施例では、注出孔２５は塗布面２３ａ上に周方向に所定の間隔を有して間欠的に形成されている。
【００３６】
このように流量調整用の規制部材２を配置し、注出路Ａの流量を規制した場合には、充填部Ｂに収容されている内容物が、低粘度の液体である場合であっても、変形部５０を有する可動栓４０を押し上げたときに内容物が余計に飛び出してしまうことを防止することができる。
【００３７】
図６は本発明の第５実施例としての塗布容器を示す半断面図である。
第５実施例に示す塗布容器１が、上記第１実施例と主として異なる点は、可動栓と変形部の構成にあり、その他の構成は上記第１実施例と同様である。
第５実施例では、可動部４０の底部４１中央に陥没部４５を形成すると共に、この陥没部４５の底面を肉薄且つドーム状に形成することにより、撓み変形可能な変形部５０を可動栓４０の底部４１に一体に形成している。可動栓４０と変形部５０とを一体に形成することにより、部品点数を削減することが可能になると共に、塗布容器１の組立てを容易とすることができる。
【００３８】
以上、実施例に沿って本発明の構成とその作用効果について説明したが、本発明の実施の形態は上記実施例に限定されるものではない。
例えば、上記各実施例では容器本体３０を円筒状の部材として説明したが、容器本体３０は筒状であればよく、円筒状に限られず、角筒状であってもよい。
【００３９】
また切欠部３７はＵ字形状に限られるものではなく、台形状などその他の形状であってもよい。
【００４０】
また底蓋６０は図３の第２実施例に示すように本発明の必須の構成ではなく、必要に応じて使用することができる。
【産業上の利用可能性】
【００４１】
本発明は、液状の内容物を塗布する塗布容器の分野における用途展開をさらに広い領域で図ることができる。
【符号の説明】
【００４２】
１    ：  塗布容器
２    ：  規制部材
３    ：  隙間
１０  ：  キャップ
１１  ：  頂壁
１２  ：  側壁
１３  ：  封止栓
２０  ：  固定栓
２１  ：  フランジ
２２  ：  組付き係止部
２３  ：  上蓋部
２３ａ：  塗布面
２４  ：  注出筒
２５  ：  注出孔
２６  ：  凹部
３０  ：  容器本体
３１  ：  口筒部
３２  ：  隙間
３３  ：  延出部
３４  ：  本体水平部
３５  ：  内筒
３６  ：  係止部
３７  ：  切欠部
４０  ：  可動栓
４１  ：  底壁
４２  ：  側面
４３  ：  貫通穴
４４  ：  底筒部
４５  ：  陥没部
５０  ：  変形部
５１  ：  中央部
Ａ    ：  注出路
Ｂ    ：  充填部
【図１】
0006489941.tif 000002
【図２】
0006489941.tif 000003
【図３】
0006489941.tif 000004
【図４】
0006489941.tif 000005
【図５】
0006489941.tif 000006
【図６】
0006489941.tif 000007